(57)【特許請求の範囲】
【請求項１】
植栽用ポットを保持する植栽用ポット保持装置であって、石材その他の重量物からなり、かつ、植栽用ポットを保持する保持具本体と、前記植栽用ポットを保持具本体に取り付ける固定機構からなり、前記固定機構は、ポットの内底面に設置されるポット押さえと、ポットの底部を貫通して、このポット押さえと保持具本体とを相互に連結する連結具とからなり、前記ポット押さえは、ポットをポット押さえ方向に弾性的に保持することを特徴とする植栽用ポット保持装置。
【請求項２】
前記固定機構は、植栽用ポットを保持具本体に着脱可能に固定することを特徴とする請求項１の植栽用ポット保持装置。
【発明の詳細な説明】
【０００１】
【発明の属する技術分野】
この発明は、植栽用ポットを保持するための植栽用ポット保持装置に関する。
【０００２】
【従来の技術】
従来、植栽用ポットを住宅のテラスや玄関ホール、ホテルのロビーといった床面や、庭などの地面に載置する場合は、直接植栽用ポットを置くか、適当な台を設け、これにやはり、直接植栽用ポットを置くことが行われていた。
【０００３】
【発明が解決しようとする課題】
従来のように、植栽用ポットを床面や地面に直接置くだけでは、植栽用ポットを人為的に動かされたり持ち去られたりする虞れがある。また、植栽用ポットが倒れたりする虞れもあり、特に戸外に植栽用ポットを置く場合は、強風などで植栽用ポットが倒れたりすると、人を傷つけたり、物を破損する可能性があり大変危険であった。
【０００４】
【課題を解決するための手段】
上記の目的を解決するため、この発明では、植栽用ポットを保持する植栽用ポット保持装置であって、石材その他の重量物からなり、かつ、植栽用ポットを保持する保持具本体と、前記植栽用ポットを保持具本体に取り付ける固定機構からなり、前記固定機構は、ポットの内底面に設置されるポット押さえと、ポットの底部を貫通して、このポット押さえと保持具本体とを相互に連結する連結具とからなり、前記ポット押さえは、ポットをポット押さえ方向に弾性的に保持することを特徴としている。
【０００５】
請求項２の発明では、前記固定機構は、植栽用ポットを保持具本体に着脱可能に固定することを特徴とする。
【０００８】
【発明の実施の形態】
図１は、本発明の植栽用ポット保持装置を玄関前のポーチに設置した例である。ポーチの床面(１)に、ポット保持装置(３)によりしっかりと保持された植栽用ポット(２)が置かれている。植栽用ポット(２)を保持するポット保持装置(３)は、後述するように、ポット(２)を保持する保持具本体(４)と、植栽用ポット(２)を保持具本体(４)に固定する固定機構からなる。植栽用ポット(２)には、好みの植物を適宜植えればよい。本願になる植栽用ポット保持装置は、住宅のテラスや玄関ホール、ホテルのロビーといった床面や、庭の地面などに設置して使用される。
【０００９】
図２は、本発明の１実施形態による保持具本体(４)を示している。ここでは、植栽用ポット(２)を保持する保持具本体(４)は、その外形が、上面が正方形の概略直方体とされている。図３では、本発明の別の実施形態が示されており、保持具本体(４)は、上面が正方形の直方体上に、それより小さなやはり上面が正方形状の直方体を重ねた２段形状に形成されている。
【００１０】
これら保持具本体(４)は、上面を円形とした円柱状としても、三角柱や或いは六角柱等の多角形状としてもよい。大小の円柱や多角柱を上下に重ねた２段形状としても、複数の段を重ねた階段状としてもよく、上面が平らで安定のよい立体であればどのような形のものでもよい。
【００１１】
保持具本体(４)は、花崗岩や大理石等の天然の石材や、人工石材、コンクリートやセラミック或いは樹脂などの重量物から形成される。保持具本体(４)の重量は、一般的な大人が、植栽用ポット(２)を保持した状態で、持ち運ぶのに困難を感じる程度以上の重さとする。
【００１２】
御影石や大理石等の美しい石材や化粧材を使えば、美しいポット保持装置を得ることができ、保持具本体(４)と、植栽用ポット(２)に植えられた植物、設置場所の床面との調和やコントラストによって、ポット保持装置の設置される場所を、美しく演出することができる。コストを安くして、しかも美観をよくするために、コンクリート等で作られた保持具本体(４)の外表面に、化粧材や薄く切った天然石材を張ってもよい。
【００１３】
図２、図３においては、いずれも、保持具本体(４)に植栽用ポット(２)を固定する連結部となる連結用軸台(５)と保持具本体(４)は別体とされている。図２において、保持具本体(４)中央部には、保持具本体(４)底面に至る筒状の孔(８)が設けられている。この筒状孔(８)内には、筒状孔(８)よりやや小さい直径を有し、この筒状孔(８)にすっぽり入る円柱状の連結用軸台(５)が挿入されており、この連結用軸台(５)の上面には、植栽用ポット(２)を下方から保持具本体(４)に連結する下部連結用ボルト(６)が上向きに固着されている。
【００１４】
図５の断面図に示すように、連結用軸台(５)下部には平面方向に広がる軸台足部(７)が設けられており、保持具本体(４)下方には、前記軸台足部(７)の厚みと広がりがちょうどはめ込めるよう、その厚みと広がりに相応した凹部(９)が設けられている。
【００１５】
本実施形態による植栽用ポット保持具本体(４)の設置の実際は、所望の位置に、まず、平面方向に広がる軸台足部(７)により安定して立つことのできる連結用軸台(５)を設置し、この連結用軸台(５)の上方から、保持具本体(４)の筒状孔(８)を貫通させて、保持具本体(４)を被せるようにして設置する。軸台足部(７)は、この状態で、保持具本体(４)下面の凹部(９)にはめ込まれた状態となり、保持具本体(４)の重量で軸台足部(７)が上から押さえられ、連結用軸台(５)が安定して固定される。
【００１６】
ポット保持具本体(４)の設置方法は、図３、図８の実施形態においても同様である。連結用軸台(５)は円柱状に限らず四角柱状等の柱状であればよく、同様に、軸台足部(７)も円盤状であっても、四角い板状であっても平坦でさえあれば形は問わない。なお、後述する実施形態でみられるように、植栽用ポットの連結部を別体とせず、ポット保持具本体自体に、植栽用ポットの連結部を設けてもよい。
【００１７】
図４〜図７では、ポット保持具本体とポットを固定する固定機構に関する実施形態を示している。連結用軸台(５)上面には、植栽用ポット(２)を下方から連結する下部連結用ボルト(６)が設けられている。一方植栽用ポット(２)の上からポットと保持具本体(４)を固着する上部側の連結材は、十字形ポット押さえ(10)と上部側ボルト(12)からなっている。
【００１８】
十字形ポット押さえ(10)は、円形の中心部から４つの腕(11)(11)…が十字状に外方へ伸びている。それぞれの腕(11)(11)…は先端付近で下方に鈍角をなして折り曲げられている。各腕(11)(11)…の先端には、中央に向かってくの字状の切り欠き(14)(14)…が設けられており、中央にはボルト挿通穴(13)が設けられている。十字形ポット押さえ(10)の各腕(11)(11)…は、ポット押さえ方向に弾性を有している。
【００１９】
この植栽用ポットの取付手順の１例を示す。植栽用ポット(２)の方の上方から、十字形ポット押さえ(10)をポット底の水抜き穴(16)上に載置し、前記十字形ポット押さえ(10)のボルト挿通穴(13)へ、ボルト(12)を上方から貫通させる。上部側ボルト(12)は、この状態で、ポット底から決して突出しない長さとされているので、ポット底から突出したボルトの先端が邪魔になることなく、地面や平らな面ならどこでも、直接置くことができる。
【００２０】
一方、連結用軸台(５)上の下部連結ボルト(６)は連結用ナット(15)と螺合させておく。この連結用ナット(15)の上方から、ポット底のポット押さえ(10)と上部側ボルト(12)をセットした前記植栽用ポット(２)を載置する。この状態で、上部側ボルト(12)を連結用ナット(15)のネジ穴にしっかりとネジ込むことによって、ポットをポット保持具本体(４)に固定する。
【００２１】
このとき弾性を付与されている十字形ポット押さえ(10)の腕(11)(11)の先端は、取付前の状態よりも、上方に押し上げられた状態となり、連結用ナット(15)を挿通させた取付プレート(17)と、ポットの下方向即ちポット押さえ方向へ戻ろうとする弾性を有する前記ポット押さえ(10)の腕(11)(11)の先端とで、ポット底を挟みこんでしっかりと固定する。この取付プレート(17)は、例えば細長の長方形等の透水可能な形状等とし、ポット底からの水抜きを可能としておく。
【００２２】
十字形ポット押さえ(10)は、弾性を有しているので、ボルト(12)を強く締め付けても、ポット底を傷つけない。素焼きや陶磁製のポットの場合、ボルトを締め付けることによるポットの破損を防げる。
【００２３】
図７は、植栽用ポットの上方からポット底を見ており、十字形ポット押さえ(10)の各腕(11)(11)の間の隙間から、ポットの中の水がポット底の水抜き穴(16)を通って排出され、また、くの字状の切り欠き(14)(14)…の中央部は、ポット底から上方に浮いているので、ここからも水は排出される。
【００２４】
予め、植物を植え付けた植栽用ポット(２)を保持具本体(４)に固定する場合は、植物の植え付け前に、植栽用ポット(２)に、ポット押さえ(10)と上部側ボルト(12)を前記の要領でセットしておく。そして、連結用ナット(15)のネジ孔に、上部側ボルト(12)下端をねじ込む。その後、植栽を行い(２)のポットをポットごと連結用軸台(５)上の下部連結用ボルト(６)に対して回転させれば、植栽用ポット(２)を保持具本体(４)に固定できる。
【００２５】
ポット(２)は、保持具本体(４)に対して着脱可能であって、例えば植え換えをするときは、ポット押さえ(10)を外すことによって保持具本体(４)から取り外して、作業のし易いところで植え換えした後、再び取り付けることができる。
【００２６】
図９、図１０は、本発明の別の実施形態を示している。ここでは、保持具本体(４)と植栽用ポット(２)の連結手段は、保持具本体(４)に一体に設けられている。保持具本体(４)の上面中央には、植栽用ポット(２)を保持具本体(４)に固定するためのネジ孔(18)が開けられている。
【００２７】
この実施形態では、ポットを保持具本体(４)に固定する固定具は、概略円盤状のポット押さえ(10)と、その下方中央に固定した雄ねじを切った棒状の連結具即ちボルト部(19)からなる。円盤状ポット押さえ(10)には水抜き穴(20)(20)が複数開けられており、円盤状ポット押さえ(10)の外周縁には下方に下がるベルト状のリング(21)が設けられている。このリング(21)の外周下端が、図１０のようにポット(２)の内底面に接触することにより、円盤状ポット押さえ(10)が、ポット(２)の内底面からリングの高さだけ一定間隔をおいて立ち上がっていることとなり、ポット押さえ(10)の水抜き穴(20)(20)を通り抜けた水が、植栽用ポット底の水抜き穴(16)へうまく流れる空間を確保している。
【００２８】
植物植え付け前の植栽用ポット(２)を保持具本体(４)に固定する場合は、保持具本体(４)に載置した植栽用ポット(２)の上方からポット底の水抜き穴(16)を貫通させて、保持具本体(４)のネジ孔(18)へ、ボルト部(19)をさし込み、円盤状ポット押さえ(10)を持って回転させ、ボルト部(19)をねじ込む。ポット押さえ(10)外周のリング(21)下端がポット内底面につくまで、緩衝接続材(22)にしっかりと締め付け、その後、ポット(２)全体を回転させネジ孔(18)にねじ込み、ポット(２)の固定が完了する。
【００２９】
(22)は植栽用ポット(２)と保持具本体(４)の間に介在させる緩衝材の役割も果たす。素焼きや陶磁製のポットを使用する場合は、ポット底を割ったり傷つけたりしないように、緩衝接続材(22)を使用することが望ましいが、特に必要なければ使用しなくてもよい。
【００３０】
図示してはいないが、水抜き穴を設けた円盤状のポット押さえとボルト部を別体とし、円盤状ポット押さえの中央にボルト挿通孔を設け、上方から蝶ボルトを挿通して、ポットを固定する等してもよい。
【００３１】
ポット押さえ(10)と保持具本体(４)を互いに連結する連結手段としては、ポット保持具本体に穴を設け、この穴の下にナットを設け、これに、ポット押さえの下方に設けられた雄ねじをねじ込む等の手段も考えられる。ポット保持具本体側に棒状体の雄ねじを設け、ポット押さえ側に雌ねじを設け、これらを互いに螺合させてもよいし、ポット押さえとポット保持具本体を相互に連結するものであれば、いかなる手段によるものでもよい。
【００３２】
【発明の効果】
本願発明においては、植栽用ポットは、ポット保持具本体に保持されているので、植栽用ポットを簡単に持ち去られたり、植栽用ポットが動いたり外れたりする虞れが非常に少ない。
【００３３】
ポット保持具本体が重量物から形成されていることから、重い保持具本体に固着された植栽用ポットを持ち運ぶことは困難となり、その結果、植栽用ポットがポット保持具本体ごと持ち去られたり、人為的にたやすく移動させられたりする虞れがなくなった。また、植栽用ポットが保持具本体の重さにより安定よく保持されることとなり、植栽用ポットやポット保持具本体が倒れるなどして、人を傷つけたり、物を破損したりする虞れがなくなった。特に、戸外に設置された場合、台風等のかなりの強風が吹いても、植栽用ポットも保持具本体も安定して保持できる。
【００３４】
この発明によれば、ポット押さえが、ポット取付状態において、ポット押さえ方向への弾性を有しているため、ポット押さえをボルト等でポットの底部に強く固定しても、陶磁製等の比較的弱い植栽用ポットであっても、ポット底を破損することなく、また、ポット押さえの弾性により、植栽用ポットをしっかりとポット保持具本体に固定することができる。
【００３５】
請求項２の発明によれば、植栽用ポットはポット保持具本体に着脱可能とされており、植物の植え換えや植栽用ポットの取り換え等必要に応じて、植栽用ポットを取り外すことができる。植栽用ポットを着脱可能としたことにより、植栽用ポット保持装置の設置場所とは異なる場所で、植物の植え付けや植え換えを行うことができ、作業のしやすいところで、植物の植え換え作業を行ったり、ホテルのロビー等、植物の植え換えや植え付け作業を短時間で行なう必要のある場所であっても、別の場所で植物を植えた植栽用ポットを持ち込むことにより、植栽用ポットの着脱作業のみをその場で行うことが可能となる。
【図面の簡単な説明】
【図１】  この発明の一実施形態による植栽用ポット保持装置を玄関前ポーチに設置した状態を示す斜視図である。
【図２】本発明の一実施形態に係るポット保持具本体を示す斜視図である。
【図３】本発明の別の実施形態に係るポット保持具本体を示す斜視図である。
【図４】本発明の一実施形態に係る植栽用ポット保持装置の取付構造を示す分解斜視図である。
【図５】同じ実施形態による、ポット保持具本体に植栽用ポットを取り付けようとする状態を示す断面図である。
【図６】同じ実施形態による、ポット保持具本体に植栽用ポットを取り付けた状態を示す断面図である。
【図７】同じ実施形態による植栽用ポット底部への固定具の取付状態を、上方より見た正面図である。
【図８】この発明の別の実施形態に係るポット保持具本体に植栽用ポットを取り付けようとする状態を示す断面図である。
【図９】更に別の実施形態に係る植栽用ポット保持装置の取付構造を示す分解斜視図である。
【図１０】同じ実施形態による、ポット保持具本体に植栽用ポットを取り付けた状態を示す断面図である。
【符号の説明】
(２)  植栽用ポット
(３)  ポット保持装置
(４)  保持具本体
(６)  下部連結用ボルト
(10)  ポット押さえ
(12)  上部側ボルト
(15)  連結用ナット
(18)  ネジ孔
(19)  ボルト部
【図１】
0003903071.tif 000002
【図２】
0003903071.tif 000003
【図３】
0003903071.tif 000004
【図４】
0003903071.tif 000005
【図５】
0003903071.tif 000006
【図６】
0003903071.tif 000007
【図７】
0003903071.tif 000008
【図８】
0003903071.tif 000009
【図９】
0003903071.tif 000010
【図１０】
0003903071.tif 000011